(57)【要約】【課題】  利用者が素早く好みのラベル画像にたどりつけるラベルプリンタ付きカラオケ録音システム、ラベルプリントシステムを提供する。【解決手段】光ディスク用のラベルに画像を印刷するラベルプリンタと、短編に区分されタイトルが付き、その中の複数フレームのピクチャをラベル素材ピクチャに指定する素材指定データが付随し、番組ごとに再生可能な多数の動画番組を含んだ動画データベースと、動画番組の表示手段を含んだユーザインタフェースを備え、複数の動画番組のタイトルをリスト表示して利用者に選択させた動画番組をラベル素材ピクチャが出現するごとに一時停止しながら表示し、一時停止中に利用者に選択させたラベル素材ピクチャに付随するラベル素材としての切り出し位置を指定する位置指定データに基づき、ラベル形状エリアの部分画像データを切り出してラベルプリンタで印刷させるカラオケ録音システムとする。【選択図】  図２
2005338289.tif 000002
【特許請求の範囲】
【請求項１】
カラオケ録音手段と、書込手段と、ラベルプリンタと、動画データベースと、ユーザインタフェースと、制御手段とを備えたカラオケ録音システムであって、
カラオケ録音手段は、カラオケ伴奏音楽とマイクロホン入力される歌声との混合信号を録音し、
書込手段は、録音されたカラオケ歌唱録音作品を光ディスクに記録し、
ラベルプリンタは、光ディスク用のラベルに画像を印刷し、
動画データベースは、短編に区分された多数の動画番組を含み、各動画番組にはタイトルが付いており、各動画番組ごとに再生可能であり、
動画番組は、その中の複数フレームのピクチャをラベル素材ピクチャに指定する素材指定データが付随しており、
ラベル素材ピクチャは、ラベル素材としての切り出し位置を指定する位置指定データが付随しており、
ユーザインタフェースは、動画番組の表示手段を含み、
制御手段は、番組リスト提示処理と、ピクチャ提示処理と、切り出し処理を可能とし、
番組リスト提示処理は、複数の動画番組のタイトルのリストを表示して利用者に選択入力を促し、
ピクチャ提示処理は、選択された動画番組をその中のラベル素材ピクチャが出現するごとに一時停止しながら表示するとともに、一時停止中に利用者に選択入力を促し、
切り出し処理は、選択されたラベル素材ピクチャについて、その位置指定データに基づいて、ラベル形状エリアの部分画像データを切り出してラベルプリンタに供給して印刷させる
カラオケ録音システム。
【請求項２】
ピクチャ提示処理は、一時停止して表示しているラベル素材ピクチャに、その位置指定データに基づいて、切り出すべきラベル形状を重ねて表示する
請求項１に記載のカラオケ録音システム。
【請求項３】
カラオケ録音手段は、カラオケ歌唱録音作品の楽曲属性データを出力し、
動画データベースは、楽曲属性データに対応付けして各動画番組が分類されており、
番組リスト提示処理は、カラオケ録音手段から出力された楽曲属性データに該当する分類の動画番組のタイトルを動画データベースから抽出して表示する
請求項１または２に記載のカラオケ録音システム。
【請求項４】
ラベルプリンタと、動画データベースと、ユーザインタフェースと、制御手段とを備えたラベルプリントシステムであって、
ラベルプリンタは、光ディスク用のラベルに画像を印刷し、
動画データベースは、短編に区分された多数の動画番組を含み、各動画番組にはタイトルが付いており、各動画番組ごとに再生可能であり、
動画番組は、その中の複数フレームのピクチャをラベル素材ピクチャに指定する素材指定データが付随しており、
ラベル素材ピクチャは、ラベル素材としての切り出し位置を指定する位置指定データが付随しており、
ユーザインタフェースは、動画番組の表示手段を含み、
制御手段は、番組リスト提示処理と、ピクチャ提示処理と、切り出し処理を可能とし、
番組リスト提示処理は、複数の動画番組のタイトルのリストを表示して利用者に選択入力を促し、
ピクチャ提示処理は、選択された動画番組をその中のラベル素材ピクチャが出現するごとに一時停止しながら表示するとともに、一時停止中に利用者に選択入力を促し、
切り出し処理は、選択されたラベル素材ピクチャについて、その位置指定データに基づいて、ラベル形状エリアの部分画像データを切り出してラベルプリンタに供給して印刷させる
ラベルプリントシステム。
【発明の詳細な説明】
【技術分野】
【０００１】
この発明は、ラベルプリンタ付きカラオケ録音システムに関し、特に豊富なラベル素材ピクチャの中からの利用者の選択を容易にするための技術に関する。
【背景技術】
【０００２】
カラオケ装置の付帯機能として、歌唱者によるカラオケ歌唱を伴奏音楽とともに録音して歌唱録音作品を制作し、その歌唱録音作品をＣＤ−ＲＯＭなどの可搬型記録媒体に録音する機能が知られている。特開２００２−２８７７７７号、特開２００２−１８２６６５号、特開２００２−１８２６６８号、特開２００２−１８２６６７号各公報などには、歌唱に失敗したとしてもＣＤ−Ｒには最良の歌唱状態を録音できるカラオケ録音装置が開示されている。この録音装置は、伴奏音楽と歌唱音声とを楽曲単位で所定のデータ形式の録音ファイルに作成し、そのファイルをハードディスク装置になどに一時記憶させる。そして、最もうまく歌えたときの録音ファイルをＣＤ−Ｒに転記するように構成されている。
【特許文献１】特開２００２−２８７７７７号公報
【特許文献２】特開２００２−１８２６６５号公報
【特許文献３】特開２００２−１８２６６８号公報
【特許文献４】特開２００２−１８２６６７号公報
【発明の開示】
【発明が解決しようとする課題】
【０００３】
上記のようなカラオケ録音サービスは、利用者自身の歌唱録音作品を元にオリジナルのＣＤを簡単に制作できるので、人気が高まっている。それにともなって、ＣＤの内容だけにとどまらず、オリジナルのラベルを作成したいという要望が増えている。ところが、ＣＤの表面に貼るラベルは、中心がくり抜かれたドーナツ形状という特殊なものであるため、ラベルに適するピクチャは構図にも制限が多い。したがって事業者でラベルに適する素材ピクチャを豊富に用意しておいて、利用者の好みに合致した画像を選択してもらうことが望ましい。
【０００４】
そうかといって、脈絡のない大量のラベル素材ピクチャの中から選択させるのは好ましくない。現に利用している人の選択作業が煩わしくなるだけでなく、利用を待っている人の待ち時間も増大するし、装置の稼働率も低下する。
【０００５】
そこで本発明者は、利用者が簡単に素早く好みに合致した画像にたどり着いて選択することを目的として本発明を創作した。
【課題を解決するための手段】
【０００６】
上記目的を達成するために、第１の発明は、次の事項（１）〜（12）により特定されるものとする。  
（１）カラオケ録音手段と、書込手段と、ラベルプリンタと、動画データベースと、ユーザインタフェースと、制御手段とを備えたカラオケ録音システムであること、
（２）カラオケ録音手段は、カラオケ伴奏音楽とマイクロホン入力される歌声との混合信号を録音すること、
（３）書込手段は、録音されたカラオケ歌唱録音作品を光ディスクに記録すること、
（４）ラベルプリンタは、光ディスク用のラベルに画像を印刷すること、
（５）動画データベースは、短編に区分された多数の動画番組を含み、各動画番組にはタイトルが付いており、各動画番組ごとに再生可能であること、
（６）動画番組は、その中の複数フレームのピクチャをラベル素材ピクチャに指定する素材指定データが付随していること、
（７）ラベル素材ピクチャは、ラベル素材としての切り出し位置を指定する位置指定データが付随していること、
（８）ユーザインタフェースは、動画番組の表示手段を含むこと、
（９）制御手段は、番組リスト提示処理と、ピクチャ提示処理と、切り出し処理を可能とすること、
（10）番組リスト提示処理は、複数の動画番組のタイトルのリストを表示して利用者に選択入力を促すこと、
（11）ピクチャ提示処理は、選択された動画番組をその中のラベル素材ピクチャが出現するごとに一時停止しながら表示するとともに、一時停止中に利用者に選択入力を促すこと、
（12）切り出し処理は、選択されたラベル素材ピクチャについて、その位置指定データに基づいて、ラベル形状エリアの部分画像データを切り出してラベルプリンタに供給して印刷させること、
【０００７】
第１の発明において、望ましくは、ピクチャ提示処理は、一時停止して表示しているラベル素材ピクチャに、その位置指定データに基づいて、切り出すべきラベル形状を重ねて表示することとする。
【０００８】
また望ましくは、カラオケ録音手段は、カラオケ歌唱録音作品の楽曲属性データを出力し、動画データベースは、楽曲属性データに対応付けして各動画番組が分類されており、番組リスト提示処理は、カラオケ録音手段から出力された楽曲属性データに該当する分類の動画番組のタイトルを動画データベースから抽出して表示することとする。
【０００９】
第２の発明は、次の事項（21）〜（30）により特定されるものとする。  
（21）ラベルプリンタと、動画データベースと、ユーザインタフェースと、制御手段とを備えたラベルプリントシステムであること、
（22）ラベルプリンタは、光ディスク用のラベルに画像を印刷すること、
（23）動画データベースは、短編に区分された多数の動画番組を含み、各動画番組にはタイトルが付いており、各動画番組ごとに再生可能であること、
（24）動画番組は、その中の複数フレームのピクチャをラベル素材ピクチャに指定する素材指定データが付随していること、
（25）ラベル素材ピクチャは、ラベル素材としての切り出し位置を指定する位置指定データが付随していること、
（26）ユーザインタフェースは、動画番組の表示手段を含むこと、
（27）制御手段は、番組リスト提示処理と、ピクチャ提示処理と、切り出し処理を可能とすること、
（28）番組リスト提示処理は、複数の動画番組のタイトルのリストを表示して利用者に選択入力を促すこと、
（29）ピクチャ提示処理は、選択された動画番組をその中のラベル素材ピクチャが出現するごとに一時停止しながら表示するとともに、一時停止中に利用者に選択入力を促すこと、
（30）切り出し処理は、選択されたラベル素材ピクチャについて、その位置指定データに基づいて、ラベル形状エリアの部分画像データを切り出してラベルプリンタに供給して印刷させること、
【発明の効果】
【００１０】
本発明のカラオケ録音システムによれば、一定のテーマにしたがった番組を見ながらラベル用の素材ピクチャを選択できるので、前後のピクチャの予測が大きく異なることがなく、簡単に素早く好みのピクチャにたどり着くことができる。また、他のカラオケ利用者やＣＤラベルの作成を待つ利用者の待ち時間を無為に増やす心配がないので、気兼ねなく利用できる。システムの稼働効率も向上する。したがって、ＣＤのラベル作成を楽しむ利用者が増加し、全体としてカラオケ利用者が増加する効果を期待できる。
【発明を実施するための最良の形態】
【００１１】
＝＝＝カラオケ録音システムの基本的な構成と動作＝＝＝
本実施例のカラオケ録音システムは、図１にその機能ブロック構成を示しているように、周知のカラオケ装置とほぼ同様のハードウェア構成である。中央制御部１１がＣＰＵ・ＲＡＭ・ＲＯＭを含むコンピュータ本体であり、各周辺構成部を制御してカラオケ録音システムを統括する。カラオケデータベース１２は、ハードディスク装置を大容量の記憶装置として構築され、多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。とくに本実施例では、目次情報には、演歌・ポップス・洋楽といったジャンルや、義理人情・恋愛・別れ・卒業といったテーマなどを含む楽曲属性データが含まれている。中央制御部１１は、各楽曲のカラオケデータ、台本データ、および目次情報を楽曲番号によって識別し、これをカラオケデータベース１２として管理している。
【００１２】
中央制御部１１は、利用者入力により操作入力部１３を介して演奏予約コマンドを受け取ると、そのコマンド中の楽曲番号を内部のＲＡＭに格納して演奏予約の待ち行列で管理する。そして、待ち行列から楽曲番号を順次取り出し、該当のカラオケデータをカラオケデータベース１２より読み出し、このカラオケデータ中の伴奏音楽データをカラオケ演奏部１４に転送して伴奏音楽を生成させる。
【００１３】
一方、歌詞描出データについては、伴奏音楽に同期して歌唱すべき箇所が色変わりする歌詞画像をビデオＲＡＭに順次ビットマップ展開していく。また、台本データに基づいて所定の動画データを所定の順番で映像処理部１７に順次転送して歌詞画像の背景動画を復号させる。
【００１４】
カラオケ演奏部１４は伴奏音楽と、マイクロホン１５に入力された歌声信号とを混合・増幅してスピーカより音響出力する。映像処理部１７は、復号した動画映像に歌詞画像をスーパーインポーズ処理してディスプレイ１８に表示出力する。
【００１５】
また、このカラオケ録音システムは、上記カラオケ装置としての基本機能に加え、伴奏音楽とそれに合わせて歌う歌唱者の歌声とを楽曲単位の録音作品として録音するための歌唱録音機能を備えている。  
録音部１６は、カラオケ演奏部１４からのリクエスト曲の伴奏音楽とマイクロホン１５に入力された歌唱音声との混合音響信号をサンプリングしてデジタル音声データにＡ／Ｄ変換する。そして、中央制御部１１から演奏開始のタイミング情報を受け取ると、デジタル音声データを中央制御部１１に転送していく。中央制御部１１は、内部のＲＡＭなどにそのデジタル音声データを格納していき、演奏が終了すると、音声データをＷＡＶＥファイルなど適宜な形式のデータファイルとして作成し、このファイルを歌唱録音作品としてリクエスト曲の楽曲ＩＤに対応付けして内蔵のハードディスク装置に一時的に保存する。  
このときに各歌唱録音作品には、当該楽曲についての楽曲属性データを取り出して付随させておく。
【００１６】
中央制御部１１は利用者の指示により、作成した歌唱録音作品をＣＤ−ＲＯＭ書込装置１９に転送し、ＣＤ−ＲＯＭ記憶媒体（光ディスク）に転記させる。  
その後、中央制御部１１は、後に説明するラベル作成処理を実行することにより、歌唱録音作品を格納したＣＤ−ＲＯＭの表面に貼付するラベルを作成する。
【００１７】
＝＝＝動画データベースの構成＝＝＝
ハードディスク装置には多数の短編の動画番組の生成起源となるデータが格納されている。各番組は、それぞれ一定の場面や内容に沿った短編として構成されている。たとえば人や動物が動き回る様子を表したものや、風景や図形の視点や色調が徐々に連続的に変化する様を表したものなどがある。中央制御部１１は、各番組に番組ＩＤを対応づけしてこれらのデータを動画データベース２０として管理している。各番組にはその映像の内容やテーマに合致したタイトルや楽曲属性データが対応付けされている。この楽曲属性データは、カラオケデータベースの楽曲の目次情報に含まれる楽曲属性データと同様に分類されたものである。
【００１８】
各番組は、ＭＰＥＧ形式などの周知の圧縮方式で符号化された動画データであり、この動画データを復号処理すると、所定のフレームレート（例えば３０フレーム／秒）で一連の動画が再生されるようになっている。
【００１９】
１つの番組中には数枚程度のフレームが、ＣＤラベルの素材ピクチャとして定義されている。素材ピクチャは、ＣＤのラベル画像として適当な構図で描画されている画像であり、動画中から素材ピクチャのフレームを特定するためには、例えば、ＭＰＥＧ２動画データにおけるＩフレーム（Ｉピクチャ）自体を素材ピクチャとすればよい。すなわち、Ｉフレームそれ自体が素材ピクチャである旨を示す素材指定データとなる。
【００２０】
もちろん、各番組につき、フレーム番号（フレーム識別子）と素材指定データとを対応づけしたテーブルを用意するなどして、どのフレームが素材ピクチャであるかが指定できるようにしてもよい。このテーブルは番組の動画データに対応付けされた個別のデータとして用意されていてもよいし、ＭＰＥＧ２システム規格の準拠した方式で動画データに多重化しておいてもよい。
【００２１】
また、各素材ピクチャには、実際のＣＤラベルの形状を示す位置指定データが付随している。位置指定データは、素材ピクチャ上にＣＤラベルの形状を重ね合わせて表示させるためのデータである。ＣＤラベルの形状は、２つの同心円からなる輪郭線に囲まれたドーナツ形状であり、本実施例では、ラベルの中心点に相当する画素（位置）と２つの同心円の半径に相当する画素数とを指定するデータを位置指定データとしている。この位置指定データが特定の素材ピクチャに対応付けされている。
【００２２】
例えば、Ｉフレームを素材ピクチャとするのであれば、Ｉフレーム（素材ピクチャ）の識別子と位置指定データとの対応デーブルを番組とは個別のデータ、あるいは番組の多重データとして用意しておけばよい。フレームと素材ピクチャとの対応関係をテーブルによって指定しているのであれば、この位置指定データをそのテーブルに含ませておけば、特定のフレームを素材ピクチャに指定できるとともに、その素材ピクチャにおけるＣＤラベルの輪郭に相当する画素位置が特定できる。
【００２３】
そして、素材ピクチャを復号して表示する際、この素材ピクチャに対応する位置指定データに基づいてラベル輪郭線をビデオＲＡＭにビットマップ展開し、素材ピクチャの表示画像にスーパーインポーズ表示させれば素材ピクチャにおけるＣＤラベルの位置関係を提示することができる（図２参照）。もちろん素材ピクチャ毎に異なる位置指定データを対応付けしておいてもよいし、一律に同じ位置指定データを対応付けしておいてもよい。後者の場合には一つの位置指定データがあればよい。
【００２４】
＝＝＝ラベル作成処理＝＝＝
歌唱録音作品をＣＤ−ＲＯＭに記録した利用者は、次にこのＣＤ−ＲＯＭのラベルを作成することができる。たとえばディスプレイ１８に表示されたラベル印刷ボタンを指定するなど、所定のユーザインタフェースでラベル作成処理を指示すると、ラベル作成処理が起動され、動画データベース２０から適宜な番組を取り出して見ることができる（ピクチャ提示処理）。
【００２５】
本実施例では、中央制御部１１は歌唱録音作品に付随する楽曲属性データ取り出すとともに、動画データベース２０を参照し、同一の楽曲属性データが付随する番組のタイトルを取り出して、ディスプレイ１８に一覧表示する。楽曲属性データについては、完全に一致しなくとも、あらかじめ関連する楽曲属性データを対応付けしておいて、対応する楽曲属性データが付随する番組を取り出すようにしてもよい。
【００２６】
利用者は所定のユーザインタフェースにより、一覧表示された番組タイトルの中から１タイトルを指定可能である。中央制御部１１は、利用者が指定した番組を動画データベース２０から取り出して、映像処理部１７に転送すると、復号再生処理が開始される。
【００２７】
映像処理部１７は、指定された番組の各フレームを順次復号してディスプレイ１８に表示出力する。そして、素材指定データが対応付けされていることを確認すると、素材ピクチャを復号するとともに、位置指定データに基づいてラベル輪郭線をスーパーインポーズ表示出力し、以降の復号再生処理を一時停止する。そして、中央処理部１１は、表示中の画像をＣＤのラベル画像として選択するか否かを問い合わせる旨のメッセージをディスプレイ１８に表示させる。
【００２８】
中央制御部１１が、利用者から表示中の画像を選択せずに次の画像に進む旨の指示入力を受け付けると、当該番組の再生を再び開始する指示を映像処理部１７に送信する。映像処理部１７では、番組の再生出力を再開する。そして、次の直近の素材指定データが確認されると、素材ピクチャをラベル輪郭線とともに表示し、再び、復号再生処理を一時停止する。  
この際に、利用者から前の画面に戻る指示入力を受け付けると、手前直近の素材ピクチャに戻って表示させる。
【００２９】
最終的に利用者がディスプレイ１８に表示中の素材ピクチャをＣＤのラベル画像として選択した場合には、表示されている素材ピクチャの画像から、ラベル輪郭線に囲まれた部分の画素を切り出す（切り出し処理）。そして、切り出された画像データをラベルプリンタ２１に転送し、適宜に拡縮してラベル画像を印刷出力させる。
【００３０】
なお、ＣＤラベル画像として選択する旨の指示は、受け付けたら直ちにラベルプリンタ２１に転送することはせずに、複数回受け付けるようにしてもよい。たとえば、ある素材ピクチャ画像を選択した後にも、当該番組の再生の再開指示およびＣＤラベル画像として選択する旨の指示を受け付け可能なようにユーザインタフェースを構成しておく。この場合には、選択済みのＣＤラベル画像（候補）をサムネイル形式で画面上に表示して、最終的にはサムネイル表示された中からラベル画像として印刷出力させる画像を選択させるようにすると、利用者が選択しやすくなる。
【００３１】
以上に説明したカラオケ録音システムによれば、利用者が歌唱した楽曲のジャンルやテーマに適した番組の中から、ある程度予測のつく画像を見ながら素早く、ラベル画像に適した好みの画像にたどり着くことが可能となる。
【００３２】
なお、本発明の光ディスクには、光磁気ディスクも含んでいる。また、１２ｃｍＣＤのみならず、８ｃｍＣＤやＭＤにも適用可能である。  
また、本発明はカラオケ録音システムへの適用に限定するものではない。上記実施例におけるカラオケ演奏部１４、録音部１６、ＣＤ−ＲＯＭ書込装置１９が含まれないシステム、あるいは他の機能モジュールに置き換えたシステムについても適用可能である。
【図面の簡単な説明】
【００３３】
【図１】本実施例におけるカラオケ録音システムの機能ブロック図である。
【図２】本実施例の素材ピクチャにおけるＣＤラベルの位置関係をディスプレイに表示した図である。
【符号の説明】
【００３４】
１１  中央制御部
１３  操作入力部
１８  ディスプレイ
２０  動画データベース
２１  ラベルプリンタ
【図１】
2005338289.tif 000003
【図２】
2005338289.tif 000004